(57)【要約】【課題】  特定の充電台で充電させなくても、装置に記憶された情報の読み出し動作を再開させることができる情報処理装置を提供する。【解決手段】  情報ロック部は、接続された充電台が特権充電台であると識別され（ステップＳ３１ｃの「特権充電台」）、更に、装置の使用者が正当な使用者であるとの認証された場合（ステップＳ３１ｊの「正当」）、装置に記憶された情報の読み書きを可能とする設定を行い（ステップＳ３１ｄ）、充電台から供給される電力によって蓄電池を充電させる（ステップＳ３１ｅ）。【選択図】  図２
2007034784.tif 000002
【特許請求の範囲】
【請求項１】
蓄電池に蓄えられた電力によって動作し、前記蓄電池に電力を供給する充電台に接続される情報処理装置であって、
情報を記憶する情報記憶部と、
充電台から離されてから所定の時間が経過すると前記情報記憶部へのアクセスを制限し、充電台に接続されると、この充電台に依存する情報を受信して充電台の種類を識別し、前記情報へのアクセスを制限している際に第１の種類の充電台に接続されると前記アクセスの制限を解除し、第２の種類の充電台に接続されると、暗証情報の入力を求め、入力された暗証情報が予め登録されている暗証情報と一致した場合に、前記アクセスの制限を解除する情報ロック手段と
を有することを特徴とする情報処理装置。
【請求項２】
前記情報ロック手段は、接続した充電台から受信した情報が前記第１および第２の充電台に該当しないと判断すると、前記アクセスの制限を維持することを特徴とする請求項１に記載の情報処理装置。
【発明の詳細な説明】
【技術分野】
【０００１】
本発明は、情報処理装置に係り、特に、その装置に記憶された情報を秘匿する処理に関する。
【背景技術】
【０００２】
移動通信端末装置を始めとして、蓄電池に蓄えられた電力によって動作する多くの情報処理装置にアドレス帳、電子メールなどの情報が記憶されている。これらの情報は、その装置の使用者のプライバシーに係るものであり、その装置が紛失された場合、秘匿が求められる。
【０００３】
そこで、その装置に対して特定の充電台を定め、その装置の蓄電池が特定の充電台で充電されてから所定の時間が経過した場合、その装置は、上記情報へのアクセス、例えば、その情報の読み出し動作を行わない処理が知られている（例えば、特許文献１参照。）。また、その装置の蓄電池が特定の充電台以外の充電台で充電された場合、その装置は動作せず、その装置の蓄電池が特定の充電台で充電された場合、その装置は動作する処理が知られている（例えば、特許文献２参照。）。
【特許文献１】特開２００３−２８９３５２号公報（第２頁、図４）
【特許文献２】特表２０００−５１７４８７号公報（第２−３頁、図１）
【発明の開示】
【発明が解決しようとする課題】
【０００４】
しかしながら、上述した特許文献１に開示されている手法では、上記情報の読み出し動作を再開させる処理が容易でない問題点があった。また、上述した特許文献２に開示されている手法では、蓄電池に蓄えられた電力を使い果たした場合に直ちに装置を動作させることが容易でない問題点があった。これらの問題点は、装置の使用者が特定の充電台を誤って破損させた場合や、装置の使用者が装置を携帯して特定の充電台を携帯することなく旅行中に旅行日程が延長された場合や、旅行中に予想以上に装置を用いることによって蓄電池に蓄えられた電力を使い果たした場合などに顕著である。
【０００５】
本発明は上記問題点を解決するためになされたもので、特定の充電台で充電させなくても、装置に記憶された情報の読み出し動作を再開させることができる情報処理装置を提供することを目的とする。
【課題を解決するための手段】
【０００６】
上記目的を達成するために、本発明に係る情報処理装置においては、蓄電池に蓄えられた電力によって動作し、前記蓄電池に電力を供給する充電台に接続される情報処理装置であって、情報を記憶する情報記憶部と、充電台から離されてから所定の時間が経過すると前記情報記憶部へのアクセスを制限し、充電台に接続されると、この充電台に依存する情報を受信して充電台の種類を識別し、前記情報へのアクセスを制限している際に第１の種類の充電台に接続されると前記アクセスの制限を解除し、第２の種類の充電台に接続されると、暗証情報の入力を求め、入力された暗証情報が予め登録されている暗証情報と一致した場合に、前記アクセスの制限を解除する情報ロック手段とを有することを特徴とする。
【発明の効果】
【０００７】
本発明によれば、特定の充電台で充電させなくても、装置に記憶された情報の読み出し動作を再開させることができる情報処理装置を提供することができる。
【発明を実施するための最良の形態】
【０００８】
以下に、本発明による情報処理装置の実施の形態を、図面を参照して説明する。図１は、本発明の実施形態に係る情報処理装置の構成を示すブロック図である。この情報処理装置は、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、アドレス帳管理部１７と、電子メール送受信部１８と、復号化部１９と、情報記憶部２０と、情報ロック部３１と、充電制御部３２と、装置の各部に電力を供給する蓄電池３３と、充電台（図示せず）と接続されるコネクタ３４とからなる。
【０００９】
以下、上記情報処理装置を構成する各部について説明する。
【００１０】
情報記憶部２０は、アドレス帳２１ａ、電子メール文２２ａ及びコンテンツ２３ａを記憶する。アドレス帳２１ａは、漢字表記の氏名、その氏名の読み仮名、その氏名で識別される人物の電話番号や電子メールアドレスなどからなるが、これ以外の情報が含まれていても良い。電子メール文２２ａは、電子メール送受信部１８によって作成された送信すべき電子メールの標題と本文、及び、電子メール送受信部１８によって受信された電子メールの標題と本文などからなるが、これ以外に電子メールヘッダなどの情報が含まれていても良い。
【００１１】
コンテンツ２３ａは、電子メール送受信部１８によって受信された電子メールの添付ファイルとして受信された符号化された静止画像コンテンツ、符号化された動画像コンテンツ、符号化された音声コンテンツ、符号化された動画像コンテンツと符号化された音声コンテンツとからなる映画コンテンツなどのコンテンツであるが、これに限るものではない。例えば、符号化されていないコンテンツであっても良い。
【００１２】
なお、装置の各部は、情報記憶部２０に記憶されたアドレス帳２１ａ、電子メール文２２ａ及びコンテンツ２３ａを読み出し及び書き込みをする場合、情報ロック部３１に読み出し及び書き込みの依頼を行う。そして、後述するように、情報ロック部３１は、その読み出し及び書き込みが可能であるか、不可能であるかを判断し、可能と判断された場合、その読み出し及び書き込みを実行し、不可能と判断された場合、その読み出し及び書き込みを実行しない。
【００１３】
通信部１２ｂは、アンテナ１２ａが受信した高周波信号を送受信部１３へ出力し、また、送受信部１３から出力される高周波信号をアンテナ１２ａより送信する。
【００１４】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１５】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１６】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００１７】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、制御部１１によって、表示部１５に文字として表示され、または、制御が行われる。
【００１８】
アドレス帳管理部１７は、アドレス帳２１ａに記憶された情報の管理を行う装置であり、入力装置１６の所定のキー操作により起動される。そして、入力装置１６の所定のキー操作によって入力された情報に従って、アドレス帳２１ａに情報を格納し、アドレス帳２１ａの情報を更新し、または、検索する。
【００１９】
更に、アドレス帳管理部１７は、検索された情報の中の電話番号を指定して、制御部１１に発呼させても良く、通話着信信号が受信された際にその着信に係る発呼者の漢字表記の氏名を制御部１１に送って、表示部１５に表示させても良い。また、検索された情報の中の電子メールアドレスを指定して、電子メール送受信部１８に電子メールの送信をさせても良く、電子メール着信信号が受信された際にその着信に係る電子メール送信者の漢字表記の氏名を制御部１１に送って、表示部１５に表示させても良い。
【００２０】
電子メール送受信部１８は、電子メールの送信及び受信を行う装置であり、電子メール送受信部１８の電子メール送信動作は、入力装置１６の所定のキー操作によって起動され、入力装置１６の所定のキー操作によって作成された電子メールの標題と本文とを電子メール文２２ａとして情報記憶部２０に格納し、そして、送信する。その際、入力装置１６の所定のキー操作に従って、コンテンツ２３ａを添付ファイルとして添付する。
【００２１】
また、電子メール送受信部１８の電子メール受信動作は、送受信部１３によって電子メールが受信されると制御部１１によって起動され、受信された電子メールの標題と本文とを情報記憶部２０に電子メール文２２ａとして格納する。また、受信された電子メールに添付ファイルが添付されている場合、その添付ファイルを情報記憶部２０にコンテンツ２３ａとして格納する。
【００２２】
更に、電子メール送受信部１８の受信された電子メールの表示動作は、入力装置１６の所定のキー操作によって起動され、情報記憶部２０に電子メール文２２ａとして記憶された電子メールの標題と本文とを表示部１５に表示し、その電子メールに添付ファイルが添付されていた場合、情報記憶部２０にコンテンツ２３ａとして記憶されたその添付ファイルを、復号化部１９に指示して復号させて再生される。
【００２３】
復号化部１９は、情報記憶部２０に記憶されたコンテンツ２３ａを復号して、復号された画像信号を表示部１５に出力し、また、復号された音声信号をスピーカ１４ａから発生させる。なお、装置がコンテンツ再生用スピーカ（図示せず）を有している場合、復号化部１９は、復号された音声信号をコンテンツ再生用スピーカから発生させる。
【００２４】
情報ロック部３１は、コネクタ３４を経由して充電台と接続されて、その充電台と通信をする。そして、その充電台の認証を行い、正当な充電台であると認証された場合、装置の各部による情報記憶部２０に記憶された情報の読み出し及び書き込み、即ち、その情報へのアクセスを可能にする。正当な充電台であると認証された充電台と接続された後、所定の時間が経過した場合、装置の各部による情報記憶部２０に記憶された情報の読み出し及び書き込みを不可能にする。
【００２５】
充電制御部３２は、コネクタ３４を経由して充電台から電力が供給されているか否かを検出し、その検出結果を、所定の時間間隔で制御部１１に通知する。また、情報ロック部３１の制御を受けて、コネクタ３４を経由して充電台から供給された電力を蓄電池３３に充電し、または、充電しない。そして、充電する場合、充電台から供給された電力を蓄電池３３に供給する。
【００２６】
蓄電池３３は、コネクタ３４及び充電制御部３２を経由して充電台から供給された電力を蓄える。そして、蓄電池３３内に蓄えられた電力を装置の各部に供給する。図１で、コネクタ３４から充電制御部３２を経て蓄電池３３に至る電力の充電経路を太線で示す。
【００２７】
なお、コネクタ３４と充電台との接続は、情報ロック部３１とコネクタ３４とを接続する信号線と、充電制御部３２とコネクタ３４とを接続する電力線とがそれぞれ充電台まで接続されるが、これに限るものではない。例えば、電力線でのみ接続され、情報ロック部３１とコネクタ３４とを接続する信号線によって送受信される信号は、情報ロック部３１によって変調されてその電力線を介して送受信されても良い。また、コネクタ３４と充電台との接続は、信号線や電力線を介することなく、コネクタ３４に充電台が直接接続されても良い。
【００２８】
以下、本発明の情報処理装置の動作について説明する。
【００２９】
図２は、コネクタ３４に充電台が接続されている際の、情報ロック部３１の動作のフローチャートを示す。この情報ロック部３１の充電台が接続されている際の動作は、充電制御部３２によってコネクタ３４を介して電力が供給されていることが検出された際に、制御部１１によって起動されて動作を開始する（ステップＳ３１ａ）。
【００３０】
続いて、情報ロック部３１は、コネクタ３４を介して接続された充電台の認証を行う。この認証は、例えば、充電台を識別する情報を充電台から受信し、その受信された情報と、情報ロック部３１内に記憶された充電台を識別する情報とを比較することによって行われる（ステップＳ３１ｂ）。なお、充電台を識別する情報を充電台から受信できない場合、空情報を受信したとみなす。
【００３１】
この認証の結果を調べ（ステップＳ３１ｃ）、接続された充電台が特定の充電台、例えば、この情報処理装置と対をなして製造業者から出荷された充電台であると識別された場合、情報ロック部３１は、情報記憶部２０に記憶された情報の読み出し及び書き込みが可能であるとの設定を情報ロック部３１内に記憶し（ステップＳ３１ｄ）、充電制御部３２に指示して充電させる（ステップＳ３１ｅ）。なお、ステップＳ３１ｅで、情報ロック部３１は、蓄電池３３を充電するために最後に使用された充電台は特定の充電台であることを情報ロック部３１内に記憶しても良い。
【００３２】
なお、上記特定の充電台は、商用電源を入力する充電台であり、装置の正当な使用者の家庭や勤務先に設置されるが、これに限るものではない。また、その特定の充電台は、１個であっても良く、複数個であっても良い。
【００３３】
そして、情報ロック部３１は、充電台からコネクタ３４を経由して電力が供給されているか否かを制御部１１に問い合わせることによって、充電台が接続されているか否かを調べ（ステップＳ３１ｆ）、接続されている場合、所定の間隔をおいて再度ステップＳ３１ｆの充電台が接続されているか否かを調べる動作を行う。一方、接続されていない場合、その動作時点の時刻を情報ロック部３１内に認証時刻として記憶して（ステップＳ３１ｇ）、動作を終了する（ステップＳ３１ｈ）。
【００３４】
一方、ステップＳ３１ｃで接続された充電台が特権充電台であると識別された場合、情報ロック部３１は、装置の使用者の認証を行う（ステップＳ３１ｉ）。ここで、装置の使用者の認証とは、装置と充電台とを接続したこの装置の使用者がこの装置の正当な使用者であるか不当な使用者であるかを認証するものであって、例えば、事前にパスワードを情報ロック部３１内に記憶し、ステップＳ３１ｉでは、使用者に入力装置１６を介してパスワードの入力を求める。そして、入力されたパスワードと記憶されたパスワードとが等しい場合、正当な使用者であると認証し、等しくない場合、不当な使用者であると認証するが、これに限るものではない。例えば、指紋などの生体に依存する情報を用いた認証を行っても良い。
【００３５】
また、特権充電台の管理者がこの装置の使用者の認証を行い、特権充電台の管理者がこの装置の使用者を正当な使用者であると認証した場合、特権充電台の管理者が特権充電台の入力装置及び／または入力装置１６を介して所定の入力を行うことによって、情報ロック部３１は、この装置の使用者がこの装置の正当な使用者であると認証するとしても良い。また、特権充電台の管理者が装置の使用者を正当な使用者であると認証した場合、その特権充電台の使用を許すことによって、情報ロック部３１は、ステップＳ３１ｉの装置の使用者の認証処理を省略して、正当な使用者であるとの認証がされたとしても良い。
【００３６】
ここで、特権充電台は、例えば情報処理装置のサービスセンターに設置される、装置の使用者には出荷されない充電台であるが、これに限るものではない。例えば、情報処理装置用の充電台であり、その装置の使用者に出荷された全ての充電台であるとしても良い。上記全ての充電台を特権充電台とすることにより、この装置の正当な使用者は、より容易に情報記憶部２０に記憶された情報の読み出し及び書き込みを可能とすることができる。
【００３７】
装置の使用者の認証結果を調べ（ステップＳ３１ｊ）、正当な使用者であると認証された場合、情報ロック部３１は、ステップＳ３１ｄの情報記憶部２０に記憶された情報の読み出し及び書き込みが可能であるとの設定を情報ロック部３１内に記憶する動作以降の動作を行う。なお、ステップＳ３１ｅで、情報ロック部３１は、蓄電池３３を充電するために最後に使用された充電台は特権充電台であることを情報ロック部３１内に記憶しても良い。
【００３８】
一方、不当な使用者であると認証された場合、情報ロック部３１は、動作を終了する（ステップＳ３１ｈ）。この装置の使用者の認証結果を調べる処理によって、不当な使用者によって情報記憶部２０に記憶された情報の読み出し及び書き込みが可能とされることを防ぐことができる。
【００３９】
更に、ステップＳ３１ｃで接続された充電台が特定の充電台でなく、かつ、特権充電台でないと識別された場合（ステップＳ３１ｃの「その他」）、情報ロック部３１は、充電制御部３２に指示して蓄電池３３を充電させ（ステップＳ３１ｋ）、そして、動作を終了する（ステップＳ３１ｈ）。なお、ステップＳ３１ｋで、情報ロック部３１は、蓄電池３３を充電するために最後に使用された充電台は特定の充電台ではなく、かつ、特権充電台でないことを情報ロック部３１内に記憶しても良い。
【００４０】
ステップＳ３１ｋで、特定の充電台でなく、かつ、特権充電台でない充電台によって充電させることにより、蓄電池３３に蓄えられた電力が減少して、使用者の近辺に特定の充電台がなく、かつ、特権充電台がない場合、装置の各部に情報記憶部２０に記憶された情報の読み出し及び書き込みを除く処理を行わせることができる。ここで、特定の充電台でなく、かつ、特権充電台でない充電台の一例は、充電台を識別する情報を送信することがない充電台であり、乾電池や、自動車が具備する蓄電池である。
【００４１】
なお、ステップＳ３１ｃで接続された充電台が特定の充電台でなく、かつ、特権充電台でない場合（ステップＳ３１ｃの「その他」）、情報ロック部３１は、ステップＳ３１ｉの装置の使用者の認証動作以降の動作に移っても良い。この動作によって、装置の使用者の認証動作が可能であれば、特定の充電台でなく、かつ、特権充電台でない充電台によって、情報記憶部２０に記憶された情報の読み出し及び書き込みが可能である設定を行うことができる。
【００４２】
なお、ステップＳ３１ｊで、不当な使用者であると認証された場合、情報ロック部３１は、ステップＳ３１ｋの充電制御部３２に指示して充電する動作以降の動作に移っても良い。これによれば、使用者が、例えばパスワードを忘れた場合、特定の充電台でなく、かつ、特権充電台でない充電台によって、装置に情報記憶部２０に記憶された情報の読み出し及び書き込みを除く処理を行わせることができる。なお、この場合、情報ロック部３１は、ステップＳ３１ｋで蓄電池３３を充電するために最後に使用された充電台を記憶する際、その充電台は特権充電台であると記憶しない。特定の充電台ではなく、かつ、特権充電台でないことを情報ロック部３１内に記憶する。
【００４３】
次に、コネクタ３４に充電台が接続されていない際の、情報ロック部３１の動作を説明する。このコネクタ３４に充電台が接続されていない際の動作は、コネクタ３４に充電台が接続されていない際に制御部１１によって所定の時間間隔で起動されて動作を開始する。そして、情報ロック部３１は、情報ロック部３１内に記憶された認証時刻から所定の時間が経過したことを検出した場合、情報ロック部３１内に記憶された情報記憶部２０に記憶された情報の読み出し及び書き込みが可能であるとの設定を、その読み出し及び書き込みが不可能であるとの設定に更新する。
【００４４】
ここで、新たな設定は、情報記憶部２０に記憶された全ての情報の読み出し及び書き込みが不可能であるとの設定に限るものではない。例えば、その情報の一部の読み出し及び書き込みが不可能であるとの設定にしても良い。また、情報の読み出しは不可能であるが、書き込みは可能であるとの設定にしても良い。更に、上記所定の時間として複数の時間を記憶し、第１の所定の時間が経過したことを検出した場合と、第２の所定の時間が経過したことを検出した場合と、２段階に分けて不可能である読み出し及び書き込みの範囲を広げる設定としても良い。
【００４５】
なお、情報ロック部３１は、情報ロック部３１内に記憶された蓄電池３３を充電するために最後に使用された充電台の種類に応じて、上記所定の時間が異なる時間であるとしても良い。例えば、その充電台の種類が特権充電台である場合、その所定の時間を短い時間とする。なぜなら、蓄電池３３は、特定の充電台で充電されるのが通常であり、特権充電台で充電されるのは、例外の止むを得ない場合の処理である。そこで、情報ロック部３１内に記憶された情報記憶部２０に記憶された情報の読み出し及び書き込みが可能であるとの設定を短い時間に渡って続けることが、情報記憶部２０に記憶された情報の秘匿の観点から妥当だからである。
【００４６】
また、その充電台の種類が特権充電台である場合、情報ロック部３１は、上記所定の時間を長い時間とする。例えば、無限大の時間としても良い。なぜなら、蓄電池３３が特権充電台によって充電されたことは、装置の正当な使用者は、蓄電池３３を充電する必要がありながら特定の充電台を使用することができない、困難な状況にある、例えば、旅行中であることを意味している。そこで、正当な使用者が再びその困難な状況に直面することを少なくするため、その読み出し及び書き込みが可能であるとの設定を長い時間に渡って続けることが、正当な使用者の利便性の観点から妥当だからである。
【００４７】
また、情報ロック部３１は、特権充電台の管理者及び／または装置の正当な使用者によって特権充電台の入力装置及び／または入力装置１６から入力された情報によって示された任意の時間をこの所定の時間として用いても良い。
【００４８】
また、情報ロック部３１は、蓄電池３３に蓄えられた電力が減少したことにより制御部１１が装置の動作を停止させる際に、制御部１１によって起動され、情報記憶部２０に記憶された情報の読み出し及び書き込みが不可能であるとの設定を情報ロック部３１内に記憶しても良い。
【００４９】
更に、情報ロック部３１は、コネクタ３４に充電台が接続されているか否かに関係なく、装置の各部から情報記憶部２０に記憶されたアドレス帳２１ａ、電子メール文２２ａ及びコンテンツ２３ａの読み出し及び書き込みの依頼を受信し、上記情報の読み出し及び書き込みが可能であるとの設定が記憶されている場合、上記依頼に応じて情報の読み出し及び書き込みを行い、上記情報の読み出し及び書き込みが不可能であるとの設定が記憶されている場合、上記依頼に応じた情報の読み出し及び書き込みを行わない。
【００５０】
以上の説明では、情報ロック部３１内に情報記憶部２０に記憶された情報の読み出し及び書き込みが不可能であるとの設定が記憶されている場合、情報処理装置は、アドレス帳２１ａを用いない発呼処理、アドレス帳２１ａを用いない発呼者の情報（例えば、発呼者の電話番号。）表示処理、着呼処理、アドレス帳２１ａを用いない電子メール送信処理、アドレス帳２１ａを用いない電子メール送信者の情報（例えば、送信者の電子メールアドレス。）表示処理及び電子メール受信処理を行う。これにより、正当な使用者の不便を低減させることができるが、これに限るものではない。
【００５１】
例えば、これらの処理に先立って、これらの処理の処理部は、上記記憶されている設定を参照し、上記不可能であるとの設定が記憶されている場合、上記の発呼処理、発呼者の情報表示処理、着呼処理、電子メール送信処理、電子メール送信者の情報表示処理及び電子メール受信処理を行わないとしても良い。
【００５２】
更に、認証時刻から上記所定の時間より大なる別の所定の時間が経過した場合、情報ロック部３１は、その時間が経過した旨を情報ロック部３１内に記憶し、上記処理の処理部は、上記の発呼処理、発呼者の情報表示処理、着呼処理、電子メール送信処理、電子メール送信者の情報表示処理及び電子メール受信処理を行わないとしても良い。
【００５３】
また、情報ロック部３１内に情報記憶部２０に記憶された情報の読み出し及び書き込みが不可能であるとの設定が記憶されている場合、情報ロック部３１は、その設定が記憶されていることや、特定の充電台や特権充電台を用いてその設定を解除する方法を表示部１５に表示しても良い。これにより、使用者は、装置の動作に不審を抱くことなく、速やかにその設定の解除をすることができる。
【００５４】
また、上記不可能であるとの設定が記憶されている場合、情報ロック部３１は、事前に記憶されたこの装置の正当な使用者の電話番号など、正当な使用者を識別する情報を表示部１５に表示しても良い。これにより、紛失された装置を発見した人物が装置の正当な使用者に連絡することができ、正当な使用者は、速やかに紛失された装置を入手することができる。
【００５５】
また、以上の説明では、情報記憶部２０にはアドレス帳２１ａ、電子メール文２２ａ及びコンテンツ２３ａが記憶されるとしたが、これに限るものではない。例えば、予定表などのあらゆる情報が記憶されるとしても良い。また、情報ロック部３１の情報記憶部２０に記憶された情報の読み出し及び書き込みを不可能にする機能は、入力装置１６の所定のキー操作によって動作するかしないかを選択されるとしても良い。また、所定の取り外し可能な外部記憶媒体（図示せず）の取り付けによって上記機能は動作しないとしても良い。
【００５６】
更に、以上の説明は、本発明を移動通信端末装置に適用した形態を例にとって行ったが、本発明は、蓄電池に蓄えられた電力で動作し、情報を記憶するあらゆる装置に適用することが当然に可能である。本発明は以上の構成に限定されるものではなく、種々の変形が可能である。
【図面の簡単な説明】
【００５７】
【図１】本発明の実施形態に係る情報処理装置の構成を示すブロック図。
【図２】本発明の実施形態に係る情報ロック部の、コネクタに充電台が接続されている際の動作を示すフローチャート。
【符号の説明】
【００５８】
１１  制御部
２０  情報記憶部
３１  情報ロック部
３２  充電制御部
３３  蓄電池
３４  コネクタ
【図１】
2007034784.tif 000003
【図２】
2007034784.tif 000004